(57)【要約】【課題】少ない操作回数で入力した文字を修正することができるロータリ・３次元入力装置による文字修正方法を提供する。【解決手段】操作入力部２１に対する水平操作に基づいて表示部２０に表示される入力領域２０６にカーソル２０８を移動させるステップと、操作入力部２１に対するロータリ操作に基づいて入力領域２０６に表示される少なくとも１つの文字の中から、修正目的の文字を入力修正カーソル２０７によって選択するステップと、水平操作に基づいて表示部２０に表示される消去ボタン２０５上にカーソル２０８を移動させるステップと、操作入力部２１に対するプッシュ操作に基づいて選択された修正目的の文字を入力領域２０６から消去するステップと、を含むロータリ・３次元入力装置としての操作入力部２１による文字修正方法を提供する。【選択図】図５
2010257075.tif 000002
【特許請求の範囲】
【請求項１】
操作入力部に対する第１の操作に基づいて表示部に表示される文字入力領域に第１のカーソルを移動させるステップと、
前記操作入力部に対するロータリ操作に基づいて前記文字入力領域に表示される少なくとも１つの文字の中から、修正目的の文字を第２のカーソルによって選択するステップと、
前記操作入力部に対する第２の操作に基づいて前記表示部に表示される消去ボタン上に前記第１のカーソルを移動させるステップと、
前記操作入力部に対するプッシュ操作に基づいて選択された前記修正目的の文字を前記文字入力領域から消去するステップと、
を含むロータリ・３次元入力装置による文字修正方法。
【請求項２】
操作入力部に対する第１の操作に基づいて表示部に表示される文字入力領域に第１のカーソルを移動させるステップと、
前記操作入力部に対するロータリ操作に基づいて前記文字入力領域に表示される文字列の中から、修正目的の文字列の先頭又は末尾の文字を第２のカーソルによって選択するステップと、
前記操作入力部に対してプッシュ操作をしながら前記ロータリ操作を行って前記修正目的の文字列を選択するステップと、
前記プッシュ操作を解除して選択された前記修正目的の文字列を確定するステップと、
前記操作入力部に対する第２の操作に基づいて前記表示部に表示される消去ボタン上に前記第１のカーソルを移動させるステップと、
前記操作入力部に対する前記プッシュ操作に基づいて選択された前記修正目的の文字列を前記文字入力領域から消去するステップと、
を含むロータリ・３次元入力装置による文字修正方法。
【請求項３】
操作入力部に対する第１の操作に基づいて表示部に表示される文字入力領域に第１のカーソルを移動させるステップと、
前記操作入力部に対する第２の操作に基づいて前記文字入力領域に表示される少なくとも１つの文字の中から、修正目的の文字を第２のカーソルによって選択するステップと、
前記操作入力部に対するプッシュ操作に基づいて選択された前記修正目的の文字を確定するステップと、
前記操作入力部に対する第３の操作に基づいて前記表示部に表示される消去ボタン上に前記第１のカーソルを移動させるステップと、
前記操作入力部に対するプッシュ操作に基づいて選択された前記修正目的の文字を前記文字入力領域から消去するステップと、
を含むロータリ・３次元入力装置による文字修正方法。
【請求項４】
操作入力部に対する第１の操作に基づいて表示部に表示される文字入力領域に第１のカーソルを移動させるステップと、
前記操作入力部に対するロータリ操作に基づいて前記文字入力領域に表示される少なくとも１つの文字の中から、修正目的の文字を第２のカーソルによって選択するステップと、
前記操作入力部に対するプッシュ操作に基づいて修正モードに移行するステップと、
前記操作入力部に対する前記ロータリ操作に基づいて新たに入力する文字を選択するステップと、
前記操作入力部に対する第２の操作又は前記プッシュ操作に基づいて選択した前記新たに入力する文字を確定するステップと、
を含むロータリ・３次元入力装置による文字修正方法。
【請求項５】
操作入力部に対する第１の操作に基づいて表示部に表示される文字入力領域に第１のカーソルを移動させるステップと、
前記操作入力部に対する第２の操作に基づいて前記文字入力領域に表示される少なくとも１つの文字の中から、修正目的の文字を第２のカーソルによって選択するステップと、
前記操作入力部に対するプッシュ操作に基づいて修正モードに移行するステップと、
前記操作入力部に対する第３の操作又はロータリ操作に基づいて新たに入力する文字を選択するステップと、
前記操作入力部に対する前記プッシュ操作に基づいて選択した前記新たに入力する文字を確定するステップと、
を含むロータリ・３次元入力装置による文字修正方法。
【請求項６】
前記ロータリ・３次元入力装置は、水平操作、傾倒操作、前記ロータリ操作及び前記プッシュ操作を可能にする操作ノブを含む請求項１〜５に記載のロータリ・３次元入力装置による文字修正方法。
【発明の詳細な説明】
【技術分野】
【０００１】
本発明は、ロータリ操作、水平操作及びプッシュ操作を可能とするロータリ・３次元入力装置による文字修正方法に関する。
【背景技術】
【０００２】
従来の技術として、読みがな入力部、５０音のひらがなで構成されるひらがな入力部、及び読みがな入力部の入力内容をクリアするためのクリアボタンを表示画面に表示する表示部を備えたナビゲーション装置が知られている（例えば、特許文献１参照。）。
【０００３】
このナビゲーション装置によると、表示部に５０音のひらがなが表示されているので、ユーザは、表示されたひらがなにタッチすることによって容易に所望の文字を入力することができる。
【先行技術文献】
【特許文献】
【０００４】
【特許文献１】特開２００８−８２８５８号公報
【発明の概要】
【発明が解決しようとする課題】
【０００５】
しかし、従来のナビゲーション装置は、例えば、入力ミスを修正する場合、クリアボタンによる操作によって入力した文字のすべてをクリアしてから、所望の文字を改めて入力しなければならず、入力した文字の修正が面倒であった。
【０００６】
本発明の目的は、少ない操作回数で入力した文字を修正することができるロータリ・３次元入力装置による文字修正方法を提供することにある。
【課題を解決するための手段】
【０００７】
本発明の一態様は、操作入力部に対する第１の操作に基づいて表示部に表示される文字入力領域に第１のカーソルを移動させるステップと、前記操作入力部に対するロータリ操作に基づいて前記文字入力領域に表示される少なくとも１つの文字の中から、修正目的の文字を第２のカーソルによって選択するステップと、前記操作入力部に対する第２の操作に基づいて前記表示部に表示される消去ボタン上に前記第１のカーソルを移動させるステップと、前記操作入力部に対するプッシュ操作に基づいて選択された前記修正目的の文字を前記文字入力領域から消去するステップと、を含むロータリ・３次元入力装置による文字修正方法を提供する。
【０００８】
本発明の他の一態様は、操作入力部に対する第１の操作に基づいて表示部に表示される文字入力領域に第１のカーソルを移動させるステップと、前記操作入力部に対するロータリ操作に基づいて前記文字入力領域に表示される文字列の中から、修正目的の文字列の先頭又は末尾の文字を第２のカーソルによって選択するステップと、前記操作入力部に対してプッシュ操作をしながら前記ロータリ操作を行って前記修正目的の文字列を選択するステップと、前記プッシュ操作を解除して選択された前記修正目的の文字列を確定するステップと、前記操作入力部に対する第２の操作に基づいて前記表示部に表示される消去ボタン上に前記第１のカーソルを移動させるステップと、前記操作入力部に対する前記プッシュ操作に基づいて選択された前記修正目的の文字列を前記文字入力領域から消去するステップと、を含むロータリ・３次元入力装置による文字修正方法を提供する。
【０００９】
本発明の他の一態様は、操作入力部に対する第１の操作に基づいて表示部に表示される文字入力領域に第１のカーソルを移動させるステップと、前記操作入力部に対する第２の操作に基づいて前記文字入力領域に表示される少なくとも１つの文字の中から、修正目的の文字を第２のカーソルによって選択するステップと、前記操作入力部に対するプッシュ操作に基づいて選択された前記修正目的の文字を確定するステップと、前記操作入力部に対する第３の操作に基づいて前記表示部に表示される消去ボタン上に前記第１のカーソルを移動させるステップと、前記操作入力部に対するプッシュ操作に基づいて選択された前記修正目的の文字を前記文字入力領域から消去するステップと、を含むロータリ・３次元入力装置による文字修正方法を提供する。
【００１０】
本発明の他の一態様は、操作入力部に対する第１の操作に基づいて表示部に表示される文字入力領域に第１のカーソルを移動させるステップと、前記操作入力部に対するロータリ操作に基づいて前記文字入力領域に表示される少なくとも１つの文字の中から、修正目的の文字を第２のカーソルによって選択するステップと、前記操作入力部に対するプッシュ操作に基づいて修正モードに移行するステップと、前記操作入力部に対する前記ロータリ操作に基づいて新たに入力する文字を選択するステップと、前記操作入力部に対する第２の操作又は前記プッシュ操作に基づいて選択した前記新たに入力する文字を確定するステップと、を含むロータリ・３次元入力装置による文字修正方法を提供する。
【００１１】
本発明の他の一態様は、操作入力部に対する第１の操作に基づいて表示部に表示される文字入力領域に第１のカーソルを移動させるステップと、前記操作入力部に対する第２の操作に基づいて前記文字入力領域に表示される少なくとも１つの文字の中から、修正目的の文字を第２のカーソルによって選択するステップと、前記操作入力部に対するプッシュ操作に基づいて修正モードに移行するステップと、前記操作入力部に対する第３の操作又はロータリ操作に基づいて新たに入力する文字を選択するステップと、前記操作入力部に対する前記プッシュ操作に基づいて選択した前記新たに入力する文字を確定するステップと、を含むロータリ・３次元入力装置による文字修正方法を提供する。
【発明の効果】
【００１２】
本発明によれば、少ない操作回数で入力した文字を修正することができる。
【図面の簡単な説明】
【００１３】
【図１】図１は、本発明の第１の実施の形態に係るロータリ・３次元入力装置を採用したカーナビゲーション装置が搭載された車両内部の概略図である。
【図２】図２は、本発明の第１の実施の形態に係るカーナビゲーション装置のブロック図である。
【図３】図３は、本発明の第１の実施の形態に係る表示部に表示された表示画像の概略図である。
【図４】図４（ａ）〜（ｄ）は、本発明の第１の実施の形態に係る文字修正方法に関する概略図である。
【図５】図５は、本発明の第１の実施の形態に係るフローチャートである。
【図６Ａ】図６Ａ（ａ）〜（ｃ）は、本発明の第２の実施の形態に係る文字修正方法に関する概略図である。
【図６Ｂ】図６Ｂ（ｄ）〜（ｆ）は、本発明の第２の実施の形態に係る文字修正方法に関する概略図である。
【図７】図７は、本発明の第２の実施の形態に係るフローチャートである。
【図８Ａ】図８Ａ（ａ）〜（ｃ）は、本発明の第３の実施の形態に係る文字修正方法に関する概略図である。
【図８Ｂ】図８Ｂ（ｄ）〜（ｅ）は、本発明の第３の実施の形態に係る文字修正方法に関する概略図である。
【図９】図９は、本発明の第３の実施の形態に係るフローチャートである。
【図１０Ａ】図１０Ａ（ａ）〜（ｃ）は、本発明の第４の実施の形態に係る文字修正方法に関する概略図である。
【図１０Ｂ】図１０Ｂ（ｄ）〜（ｅ）は、本発明の第４の実施の形態に係る文字修正方法に関する概略図である。
【図１１】図１１は、本発明の第４の実施の形態に係るフローチャートである。
【図１２Ａ】図１２Ａ（ａ）〜（ｃ）は、本発明の第５の実施の形態に係る文字修正方法に関する概略図である。
【図１２Ｂ】図１２Ｂ（ｄ）〜（ｅ）は、本発明の第５の実施の形態に係る文字修正方法に関する概略図である。
【図１３】図１３は、本発明の第５の実施の形態に係るフローチャートである。
【発明を実施するための形態】
【００１４】
[第１の実施の形態]
（カーナビゲーション装置の構成）
図１は、本発明の第１の実施の形態に係るロータリ・３次元入力装置を採用したカーナビゲーション装置が搭載された車両内部の概略図である。以下では、ロータリ・三次元入力装置の一例としての操作入力部２１が接続されたカーナビゲーション装置２について説明する。
【００１５】
車両１は、図１に示すように、運転席と助手席の間の車両前方に設けられ、各種スイッチ等が配置されたセンターコンソール１０を有している。このセンターコンソール１０には、カーナビゲーション装置２が設けられている。
【００１６】
（カーナビゲーション装置の構成）
図２は、本発明の第１の実施の形態に係るカーナビゲーション装置のブロック図である。カーナビゲーション装置２は、図２に示すように、表示部２０と、記憶部２２と、検索部２３と、ＧＰＳ（Global Positioning System）２４と、ＥＣＵ（Electronic Control Unit）２００とを備えて概略構成されている。また、このカーナビゲーション装置２には、図２に示すように、操作入力部２１が接続されている。
【００１７】
表示部２０は、センターコンソール１０に配置され、例えば、液晶ディスプレイから構成されている。
【００１８】
（操作入力部の構成）
操作入力部２１は、ロータリ・３次元入力装置の一例であり、センターコンソール１０に配置された、円筒形状を有する操作ノブ２１０を備え、この操作ノブ２１０は回転操作、プッシュ操作、Ｘ、Ｙ軸方向への水平操作が可能である。回転操作は、操作ノブ２１０に連動したロータリスイッチ２１４、プッシュ操作は、操作ノブ２１０が押されたことを検出するプッシュスイッチ２１３、水平操作は、操作ノブ２１０のＸ軸の移動量を検出するＸ軸センサ２１１、Ｙ軸の移動量を検出するＹ軸センサ２１２を備えている。水平操作は、操作領域と表示部２０の画面領域が1対1に対応しており、画面領域に対して絶対入力操作が可能である。これにより、水平操作、回転操作、プッシュ操作を持ち換えなしで操作ができ、絶対入力操作にて表示部２０上の操作項目を選択し、回転操作にて設定値調整し、プッシュ操作で確定と一連の操作をシームレスに実施することが可能となる。
【００１９】
また、操作入力部２１は、ＥＣＵ２１Ａを備えている。ＥＣＵ２１Ａは、このＸ軸センサ２１１、Ｙ軸センサ２１２、プッシュスイッチ２１３及びロータリスイッチ２１４から出力された信号に基づいて操作ノブ２１０に対して行われた操作の操作信号をカーナビゲーション装置２のＥＣＵ２００に出力する。なお、この操作ノブ２１０の配置位置は、センターコンソール１０に限定されず、例えば、視線移動が少ない位置やアームレスト付近等の操作者の操作し易い位置であれば良い。
【００２０】
プッシュ操作は、例えば、図１に示す矢印Ａ方向に操作ノブ２１０を押し下げる操作であり、操作ノブ２１０は、プッシュ操作の後、図示しない弾性部材による反力によってプッシュ操作の前の状態に戻るように構成されている。プッシュスイッチ２１３は、プッシュ操作に基づいた信号をＥＣＵ２１Ａに出力する。
【００２１】
ロータリ操作は、例えば、図１に示す矢印Ｂ及びＣ方向に操作ノブ２１０を回転する操作である。ロータリスイッチ２１４は、ロータリ操作に基づいた信号をＥＣＵ２１Ａに出力する。ここで、矢印Ｂ方向とは、時計回りの方向であり、矢印Ｃ方向とは、反時計回りの方向である。
【００２２】
第１〜第３の操作としての水平操作は、例えば、表示部２０に表示される後述するカーソルを移動させたい方向に、操作ノブ２１０を水平移動させる操作である。
【００２３】
ここで、例えば、Ｘ軸は、表示部２０の水平方向に対して平行な軸であり、Ｙ軸は、表示部２０の垂直方向に対して平行な軸であり、操作ノブ２１０の回転中心をＸ−Ｙ座標系の原点としている。例えば、操作ノブ２１０が水平操作されたとき、操作ノブ２１０が移動したＸ−Ｙ座標系上の方向、もしくは座標に基づいた信号をＥＣＵ２１Ａに出力し、ＥＣＵ２１Ａは、入力した信号に基づいた操作信号をＥＣＵ２００に出力し、ＥＣＵ２００は、この操作信号に基づいて表示部２０に表示される後述するカーソルを操作ノブ２１０と同方向に、水平操作の継続時間の間、移動させるように構成されている。
【００２４】
記憶部２２は、例えば、ＨＤＤ（Hard Disk Drive）やメモリ等の記憶装置によって構成され、地図データや住所データ等を格納している。
【００２５】
検索部２３は、例えば、後述する入力領域に入力された目的地の住所や建物名を、住所データ等から検索し、検索した結果に基づいて現在地から目的地までの道順等を算出する。
【００２６】
ＧＰＳ２４は、人工衛星を利用した全地球測位システムに基づいて車両１の現在地等の情報を得るものである。
【００２７】
（表示画像の構成）
図３は、本発明の第１の実施の形態に係る表示部に表示された表示画像の概略図である。この表示部２０に表示された表示画像２０１は、例えば、目的地の検索用の入力画面である。
【００２８】
表示部２０は、図３に示すように、表示画像２０１を表示する。表示画像２０１は、図３に示すように、ボタン群２０２と、選択状態ボタン２０３と、戻るボタン２０４と、消去ボタン２０５と、文字入力領域としての入力領域２０６と、第２のカーソルとしての入力修正カーソル２０７と、第１のカーソルとしてのカーソル２０８と、入力文字列２０９と、を備えて概略構成されている。
【００２９】
ボタン群２０２は、入力領域２０６に所望の文字を入力するために使用され、主に５０音の複数の行に対応する複数のボタンから構成されている。文字の入力方法は、一例として、「た」ボタン上にカーソル２０８を重ね、操作ノブ２１０に対するロータリ操作に基づいて「た」、「ち」、「つ」、「て」、「と」、「た」、「ち」・・・の各文字を入力領域２０６の入力修正カーソル２０７上に表示させ、所望の文字が表示された後、操作ノブ２１０に対してプッシュ操作を行うことによって文字を確定し、入力領域２０６に所望の文字を入力する方法である。ここで、確定するとは、例えば、入力した文字や選択された文字に対して消去等の操作を可能にする状態にすることである。
【００３０】
選択状態ボタン２０３は、例えば、カーソル２０８によって選択されたボタンのことであり、通常の表示よりも少し大きいアイコンとして表示部２０に表示される。
【００３１】
戻るボタン２０４は、例えば、この表示画像２０１を表示する前の画像を表示させることができるボタンである。
【００３２】
消去ボタン２０５は、例えば、入力領域２０６に表示された入力修正カーソル２０７上の文字の消去、又は、入力修正カーソル２０７の左側にある文字の消去を行うことができるボタンである。
【００３３】
入力領域２０６は、例えば、文字が入力される領域である。この入力領域２０６に入力された入力文字列２０９は、ボタン群２０２の「完了」ボタン上にカーソル２０８を重ね、操作ノブ２１０に対してプッシュ操作が行われることによって、例えば、目的地の名前として確定され、検索部２３は、この確定された目的地の名前、及びＧＰＳ２４からの現在地等に基づいて現在地から目的地までの道順等を算出する。
【００３４】
入力修正カーソル２０７は、入力領域２０６内を移動するカーソルである。
【００３５】
カーソル２０８は、例えば、操作ノブ２１０の水平操作に基づいて表示画像２０１内を移動するものである。
【００３６】
入力文字列２０９は、入力領域２０６に入力された文字である。
【００３７】
ここで、修正とは、入力領域２０６に入力した文字を他の文字に置き換える操作であり、また、入力した文字を消去する操作も含むものとする。
【００３８】
（第１の実施の形態の動作）
図４（ａ）〜（ｄ）は、本発明の第１の実施の形態に係る文字修正方法に関する概略図である。図４（ａ）〜（ｄ）は、左側は表示画像を示し、右側は操作ノブの操作について示している。また、以下の各図に示す白抜きの矢印は、操作ノブ２１０に対する操作によって入力修正カーソル２０７及びカーソル２０８の移動する方向を示している。
【００３９】
以下に本実施の形態に係る操作入力部を用いた文字修正方法について各図を参照し、図５に示すフローチャートに従って説明する。入力領域２０６に入力された入力文字列２０９「あいちけんと」から修正目的の文字「ち」を消去する場合を例に説明する。
【００４０】
まず、操作者は、図４（ａ）に示すように、操作ノブ２１０を矢印Ｄ方向に第１の操作としての水平操作を行い、カーソル２０８を「た」ボタン上から入力領域２０６に移動させる（Ｓ１）。
【００４１】
このとき、ＥＣＵ２１Ａは、Ｘ軸センサ２１１及びＹ軸センサ２１２から出力される信号に基づいた操作信号をＥＣＵ２００に出力し、ＥＣＵ２００は、この操作信号に基づいて表示部２０に表示されるカーソル２０８を操作ノブ２１０の水平操作方向に移動させる。
【００４２】
次に、操作者は、図４（ｂ）に示すように、操作ノブ２１０を矢印Ｃ方向にロータリ操作を行い、入力修正カーソル２０７で消去対象の文字（例えば、ち。）を選択する（Ｓ２）。
【００４３】
このとき、ＥＣＵ２１Ａは、ロータリスイッチ２１４から出力される信号に基づいた操作信号をＥＣＵ２００に出力し、ＥＣＵ２００は、この操作信号に基づいて表示部２０に表示される入力修正カーソル２０７を文字「と」から文字「ち」に移動させる。
【００４４】
次に、操作者は、図４（ｃ）に示すように、操作ノブ２１０を矢印Ｅ方向に第２の操作としての水平操作を行い、カーソル２０８を消去ボタン２０５上に移動させる（Ｓ３）。
【００４５】
このとき、ＥＣＵ２１Ａは、Ｘ軸センサ２１１及びＹ軸センサ２１２から出力される信号に基づいた操作信号をＥＣＵ２００に出力し、ＥＣＵ２００は、この操作信号に基づいて表示部２０に表示されるカーソル２０８を操作ノブ２１０の水平操作方向に移動させる。
【００４６】
次に、操作者は、図４（ｄ）に示すように、操作ノブ２１０を矢印Ａ方向にプッシュ操作を行って消去ボタン２０５を押し下げ、消去対象であった文字「ち」を消去し、（Ｓ４）、文字の消去操作を終了する。
【００４７】
このとき、ＥＣＵ２１Ａは、プッシュスイッチ２１３から出力される信号に基づいた操作信号をＥＣＵ２００に出力し、ＥＣＵ２００は、この操作信号に基づいて入力修正カーソル２０７によって選択された文字「ち」を入力領域２０６から消去し、文字「けんと」を１文字分、左につめて表示部２０に表示させる。
【００４８】
（第１の実施の形態の効果）
本実施の形態に係る文字修正方法によれば、例えば、５０音のひらがなを表示画像に表示し、表示画像に含まれる戻るボタンを連続して押し下げて消去対象の文字を選択し、修正ボタンを押し下げて消去する場合と比べて、少ない操作回数で消去対象の文字を消去することができる。
【００４９】
［第２の実施の形態］
第２の実施の形態は、文字列をまとめて消去する点において、第１の実施の形態と異なっている。なお、以下に記載の各実施の形態において、第１の実施の形態と機能及び構成を有する部分は、同じであるので共通の符号を付し、その説明は省略又は簡素化するものとする。
【００５０】
（第２の実施の形態の動作）
図６Ａ（ａ）〜（ｃ）、及び図６Ｂ（ｄ）〜（ｆ）は、本発明の第２の実施の形態に係る文字修正方法に関する概略図である。図６Ａ（ａ）〜（ｃ）、及び図６Ｂ（ｄ）〜（ｆ）は、左側は表示画像を示し、右側は操作ノブの操作について示している。
【００５１】
以下に本実施の形態に係る操作入力部を用いた文字修正方法について各図を参照し、図７に示すフローチャートに従って説明する。入力領域２０６に入力された入力文字列２０９「あいちけんと」から修正目的の文字列「ちけんと」をまとめて消去する場合を例に説明する。
【００５２】
まず、操作者は、図６Ａ（ａ）に示すように、操作ノブ２１０を矢印Ｄ方向に第１の操作としての水平操作を行い、カーソル２０８を「た」ボタン上から入力領域２０６に移動させる（Ｓ２０）。
【００５３】
このとき、ＥＣＵ２１Ａは、Ｘ軸センサ２１１及びＹ軸センサ２１２から出力される信号に基づいた操作信号をＥＣＵ２００に出力し、ＥＣＵ２００は、この操作信号に基づいて表示部２０に表示されるカーソル２０８を操作ノブ２１０の水平操作方向に移動させる。
【００５４】
次に、操作者は、図６Ａ（ｂ）に示すように、操作ノブ２１０を矢印Ｃ方向にロータリ操作を行い、入力修正カーソル２０７で消去対象の文字列の先頭の文字（例えば、ち。）を選択する（Ｓ２１）。なお、操作者は、消去対象の文字列の末尾の文字（例えば、と。）を入力修正カーソル２０７で選択しても良い。
【００５５】
このとき、ＥＣＵ２１Ａは、ロータリスイッチ２１４から出力される信号に基づいた操作信号をＥＣＵ２００に出力し、ＥＣＵ２００は、この操作信号に基づいて表示部２０に表示される入力修正カーソル２０７を文字「と」から文字「ち」に移動させる。
【００５６】
次に、操作者は、図６Ａ（ｃ）に示すように、操作ノブ２１０に対してプッシュ操作をしながら矢印Ｂ方向にロータリ操作を行い、入力修正カーソル２０７によって消去対象の文字列「ちけんと」を選択する（Ｓ２２）。なお、消去対象の末尾の文字に入力修正カーソル２０７が位置するときは、操作ノブ２１０に対してプッシュ操作をしながら矢印Ｂ方向とは逆の方向にロータリ操作を行って文字列「ちけんと」を選択する。後の操作は、同一である。
【００５７】
このとき、ＥＣＵ２１Ａは、プッシュスイッチ２１３及びロータリスイッチ２１４から出力される信号に基づいた操作信号をＥＣＵ２００に出力し、ＥＣＵ２００は、この操作信号に基づいて表示部２０に表示される文字列「ちけんと」を選択状態で表示、つまり、図７Ａ（ｃ）に示す網かけ状態で表示させる。
【００５８】
次に、操作者は、図６Ｂ（ｄ）に示すように、操作ノブ２１０に対するプッシュ操作を解除して、消去対象の文字列「ちけんと」の選択を確定する（Ｓ２３）。
【００５９】
このとき、ＥＣＵ２１Ａは、プッシュ操作の解除に基づいた操作信号をＥＣＵ２００に出力し、ＥＣＵ２００は、この操作信号に基づいて文字列「ちけんと」の選択を確定する。
【００６０】
次に、操作者は、図６Ｂ（ｅ）に示すように、操作ノブ２１０を矢印Ｅ方向に第２の操作としての水平操作を行い、カーソル２０８を消去ボタン２０５上に移動させる（Ｓ２４）。
【００６１】
このとき、ＥＣＵ２１Ａは、Ｘ軸センサ２１１及びＹ軸センサ２１２から出力される信号に基づいた操作信号をＥＣＵ２００に出力し、ＥＣＵ２００は、この操作信号に基づいて表示部２０に表示されるカーソル２０８を操作ノブ２１０の水平操作方向に移動させる。
【００６２】
次に、操作者は、図６Ｂ（ｆ）に示すように、操作ノブを矢印Ａ方向にプッシュ操作を行って消去ボタン２０５を押し下げ、消去対象であった文字列「ちけんと」を消去し、（Ｓ２５）、文字列の消去操作を終了する。
【００６３】
このとき、ＥＣＵ２１Ａは、プッシュスイッチ２１３から出力される信号に基づいた操作信号をＥＣＵ２００に出力し、ＥＣＵ２００は、この操作信号に基づいて入力修正カーソル２０７によって選択された文字列「ちけんと」を入力領域２０６から消去し、入力文字列２０９「あい」の隣に入力修正カーソル２０７を、表示部２０に表示させる。
【００６４】
（第２の実施の形態の効果）
本実施の形態に係る文字修正方法によれば、例えば、５０音のひらがなを表示画像に表示し、表示画像に含まれる戻るボタンを連続して押し下げて消去対象の文字を選択し、修正ボタンを押し下げて消去する操作を繰り返す場合と比べて、少ない操作回数で消去対象の文字列を一度に消去することができる。
【００６５】
［第３の実施の形態］
第３の実施の形態は、水平操作によって消去対象の文字に入力修正カーソルを移動させる点において、第１及び第２の実施の形態と異なっている。
【００６６】
（第３の実施の形態の動作）
図８Ａ（ａ）〜（ｃ）及び図８Ｂ（ｄ）〜（ｅ）は、本発明の第３の実施の形態に係る文字修正方法に関する概略図である。図８Ａ（ａ）〜（ｃ）及び図８Ｂ（ｄ）〜（ｅ）は、左側は表示画像を示し、右側は操作ノブの操作について示している。
【００６７】
以下に本実施の形態に係る操作入力部を用いた文字修正方法について、各図を参照し、図９に示すフローチャートに従って説明する。入力領域２０６に入力された入力文字列２０９「あいちけんと」から修正目的の文字「ち」を消去する場合を例に説明する。
【００６８】
まず、操作者は、図８Ａ（ａ）に示すように、操作ノブ２１０を矢印Ｄ方向に第１の操作としての水平操作を行い、カーソル２０８を「た」ボタン上から入力領域２０６に移動させる（Ｓ３０）。
【００６９】
このとき、ＥＣＵ２１Ａは、Ｘ軸センサ２１１及びＹ軸センサ２１２から出力される信号に基づいた操作信号をＥＣＵ２００に出力し、ＥＣＵ２００は、この操作信号に基づいて表示部２０に表示されるカーソル２０８を操作ノブ２１０の水平操作方向に移動させる。
【００７０】
次に、操作者は、図８Ａ（ｂ）に示すように、操作ノブ２１０を矢印Ｆ方向に第２の操作としての水平操作を行い、入力修正カーソル２０７で消去対象の文字（例えば、ち。）を選択する（Ｓ３１）。
【００７１】
このとき、ＥＣＵ２１Ａは、Ｘ軸センサ２１１及びＹ軸センサ２１２から出力される信号に基づいた操作信号をＥＣＵ２００に出力し、ＥＣＵ２００は、この操作信号に基づいて表示部２０に表示される入力修正カーソル２０７を文字「と」から文字「ち」に移動させる。
【００７２】
次に、操作者は、図８Ａ（ｃ）に示すように、操作ノブ２１０に対してプッシュ操作を行い、消去対象の文字を確定する（Ｓ３２）。
【００７３】
このとき、ＥＣＵ２１Ａは、プッシュスイッチ２１３から出力される信号に基づいた操作信号をＥＣＵ２００に出力し、ＥＣＵ２００は、この操作信号に基づいて消去対象の文字を確定させる。
【００７４】
次に、操作者は、図８Ｂ（ｄ）に示すように、操作ノブ２１０を矢印Ｅ方向に第３の操作としての水平操作を行い、カーソル２０８を消去ボタン２０５上に移動させる（Ｓ３３）。
【００７５】
このとき、ＥＣＵ２１Ａは、Ｘ軸センサ２１１及びＹ軸センサ２１２から出力される信号に基づいた操作信号をＥＣＵ２００に出力し、ＥＣＵ２００は、この操作信号に基づいて表示部２０に表示されるカーソル２０８を操作ノブ２１０の水平操作方向に移動させる。
【００７６】
次に、操作者は、図８Ｂ（ｅ）に示すように、操作ノブを矢印Ａ方向にプッシュ操作を行って消去ボタン２０５を押し下げ、消去対象であった文字「ち」を消去し（Ｓ３４）、文字の消去操作を終了する。
【００７７】
このとき、ＥＣＵ２１Ａは、プッシュスイッチ２１３から出力される信号に基づいた操作信号をＥＣＵ２００に出力し、ＥＣＵ２００は、この操作信号に基づいて入力修正カーソル２０７によって選択された文字「ち」を入力領域２０６から消去し、文字「けんと」を１文字分、左につめて表示部２０に表示させる。
【００７８】
（第３の実施の形態の効果）
本実施の形態に係る文字修正方法によれば、例えば、５０音のひらがなを表示画像に表示し、表示画像に含まれる戻るボタンを連続して押し下げて消去対象の文字を選択し、修正ボタンを押し下げて消去する場合と比べて、少ない操作回数で消去対象の文字を消去することができる。
【００７９】
［第４の実施の形態］
第４の実施の形態は、入力した文字を修正する点において、第１〜第３の実施の形態と異なっている。
【００８０】
（第４の実施の形態の動作）
図１０Ａ（ａ）〜（ｃ）、及び図１０Ｂ（ｄ）〜（ｅ）は、本発明の第４の実施の形態に係る文字修正方法に関する概略図である。図１０Ａ（ａ）〜（ｃ）、及び図１０Ｂ（ｄ）〜（ｅ）は、左側は表示画像を示し、右側は操作ノブの操作について示している。
【００８１】
以下に本実施の形態に係る操作入力部を用いた文字修正方法について各図を参照し、図１１に示すフローチャートに従って説明する。入力領域２０６に入力された入力文字列２０９「あいちけんと」から修正目的の文字「ち」を文字「て」に修正する場合を例に説明する。
【００８２】
まず、操作者は、図１０Ａ（ａ）に示すように、操作ノブ２１０を矢印Ｄ方向に第１の操作としての水平操作を行い、カーソル２０８を「た」ボタン上から入力領域２０６に移動させる（Ｓ４０）。
【００８３】
このとき、ＥＣＵ２１Ａは、Ｘ軸センサ２１１及びＹ軸センサ２１２から出力される信号に基づいた操作信号をＥＣＵ２００に出力し、ＥＣＵ２００は、この操作信号に基づいて表示部２０に表示されるカーソル２０８を操作ノブ２１０の水平操作方向に移動させる。
【００８４】
次に、操作者は、図１０Ａ（ｂ）に示すように、操作ノブ２１０を矢印Ｃ方向にロータリ操作を行い、入力修正カーソル２０７で修正対象の文字（例えば、ち。）を選択する（Ｓ４１）。
【００８５】
このとき、ＥＣＵ２１Ａは、ロータリスイッチ２１４から出力される信号に基づいた操作信号をＥＣＵ２００に出力し、ＥＣＵ２００は、この操作信号に基づいて表示部２０に表示される入力修正カーソル２０７を文字「と」から文字「ち」に移動させる。
【００８６】
次に、操作者は、図１０Ａ（ｃ）に示すように、操作ノブ２１０に対してプッシュ操作を行い、修正モードに移行する（Ｓ４２）。ここで、修正モードとは、ロータリ操作によって、例えば、選択された文字「ち」を含む行の文字、つまり矢印Ｃ方向にロータリ操作を行うことで「つ」、「て」、「と」、「た」・・・と順番に入力領域２０６に表示させ、矢印Ｃ方向と逆方向（図１に示す矢印Ｂ方向。）にロータリ操作を行うことで「た」、「と」、「て」、「つ」、「ち」、「た」・・・を入力領域２０６に表示させるモードである。なお、修正モードは、矢印Ｃ方向にロータリ操作を行うことでた行だけでなく、「つ」、「て」、「と」、「な」、「に」・・・と順番に入力領域２０６に表示させ、矢印Ｃ方向と逆方向（図１に示す矢印Ｂ方向。）にロータリ操作を行うことで「た」、「そ」、「せ」、「す」、「し」、「さ」・・・と順番に入力領域２０６に表示させても良い。
【００８７】
このとき、ＥＣＵ２１Ａは、プッシュスイッチ２１３から出力される信号に基づいた操作信号をＥＣＵ２００に出力し、ＥＣＵ２００は、この操作信号に基づいて修正モードに移行する。
【００８８】
次に、操作者は、図１０Ｂ（ｄ）に示すように、操作ノブ２１０を矢印Ｃ方向にロータリ操作を行い、新たに入力する文字（例えば、て。）を選択する（Ｓ４３）。
【００８９】
このとき、ＥＣＵ２１Ａは、ロータリスイッチ２１４から出力される信号に基づいた操作信号をＥＣＵ２００に出力し、ＥＣＵ２００は、この操作信号に基づいて表示部２０の入力領域２０６に、文字「ち」から「つ」を介して「て」を表示させる。
【００９０】
次に、操作者は、図１０Ｂ（ｅ）に示すように、ロータリ操作以外の操作によって、つまり、操作ノブ２１０に対する矢印Ｇ方向の第２の操作としての水平操作、又はプッシュ操作によって選択した文字「て」を確定し（Ｓ４４）、文字の修正を終了する。なお、水平操作は、カーソル２０８が入力領域２０６の外に出るような方向の操作であれば良い。
【００９１】
このとき、ＥＣＵ２１Ａは、Ｘ軸センサ２１１、Ｙ軸センサ２１２、又はプッシュスイッチ２１３から出力される信号に基づいた操作信号をＥＣＵ２００に出力し、ＥＣＵ２００は、この操作信号に基づいて入力領域２０６に表示された文字「て」を確定する。
【００９２】
（第４の実施の形態の効果）
本実施の形態に係る文字修正方法によれば、例えば、５０音のひらがなを表示画像に表示し、表示画像に含まれる戻るボタンを連続して押し下げて修正対象の文字を選択し、修正ボタンを押し下げて修正する場合と比べて、少ない操作回数で修正対象の文字を修正することができる。
【００９３】
［第５の実施の形態］
第５の実施の形態は、修正する文字の選択方法、及び修正した文字の確定方法が異なる点において、第１〜第４の実施の形態と異なっている。
【００９４】
（第５の実施の形態の動作）
図１２Ａ（ａ）〜（ｃ）、及び図１２Ｂ（ｄ）〜（ｅ）は、本発明の第５の実施の形態に係る文字修正方法に関する概略図である。図１２Ａ（ａ）〜（ｃ）、及び図１２Ｂ（ｄ）〜（ｅ）は、左側は表示画像を示し、右側は操作ノブの操作について示している。
【００９５】
以下に本実施の形態に係る操作入力部を用いた文字修正方法について各図を参照し、図１３に示すフローチャートに従って説明する。入力領域２０６に入力された入力文字列２０９「あいちけんと」から修正目的の文字「ち」を文字「き」に修正する場合を例に説明する。
【００９６】
まず、操作者は、図１２Ａ（ａ）に示すように、操作ノブ２１０を矢印Ｄ方向に第１の操作としての水平操作を行い、カーソル２０８を「た」ボタン上から入力領域２０６に移動させる（Ｓ５０）。
【００９７】
このとき、ＥＣＵ２１Ａは、Ｘ軸センサ２１１及びＹ軸センサ２１２から出力される信号に基づいた操作信号をＥＣＵ２００に出力し、ＥＣＵ２００は、この操作信号に基づいて表示部２０に表示されるカーソル２０８を操作ノブ２１０の水平操作方向に移動させる。
【００９８】
次に、操作者は、図１２Ａ（ｂ）に示すように、操作ノブ２１０を矢印Ｆ方向に第２の操作としての水平操作を行い、入力修正カーソル２０７で修正対象の文字（例えば、ち。）を選択する（Ｓ５１）。
【００９９】
このとき、ＥＣＵ２１Ａは、Ｘ軸センサ２１１及びＹ軸センサ２１２から出力される信号に基づいた操作信号をＥＣＵ２００に出力し、ＥＣＵ２００は、この操作信号に基づいて表示部２０に表示される入力修正カーソル２０７を文字「と」から文字「ち」に移動させる。
【０１００】
次に、操作者は、図１２Ａ（ｃ）に示すように、操作ノブ２１０に対してプッシュ操作を行い、修正モードに移行する（Ｓ５２）。本実施の形態における修正モードは、ロータリ操作によって、例えば、選択された文字「ち」を含む行の文字、つまり矢印Ｃ方向にロータリ操作を行うことで「つ」、「て」、「と」、「た」・・・と順番に入力領域２０６に表示させ、矢印Ｃ方向と逆方向（図１に示す矢印Ｂ方向。）にロータリ操作を行うことで「た」、「と」、「て」、「つ」、「ち」、「た」・・・を入力領域２０６に表示させ、ボタン群２０２上で水平操作を行うことで修正文字の行を選択し（例えば「た」ボタン。）、矢印Ｂ方向または矢印Ｃ方向にロータリ操作させることで段を選択（例えば「た」、「ち」、「つ」、「て」、「と」。）するモードである。なお、本実施の形態における修正モードは、矢印Ｃ方向にロータリ操作、又は略左水平方向に水平操作を行うことでた行だけでなく「つ」、「て」、「と」、「な」、「に」・・・と順番に入力領域２０６に表示させ、矢印Ｃ方向と逆方向（図１に示す矢印Ｂ方向。）にロータリ操作、又は略右水平方向に水平操作を行うことで「た」、「そ」、「せ」、「す」、「し」、「さ」・・・と順番に入力領域２０６に表示させても良い。
【０１０１】
このとき、ＥＣＵ２１Ａは、プッシュスイッチ２１３から出力される信号に基づいた操作信号をＥＣＵ２００に出力し、ＥＣＵ２００は、この操作信号に基づいて修正モードに移行する。
【０１０２】
次に、操作者は、操作ノブ２１０を矢印Ｃ方向にロータリ操作、水平操作を行い、新たに入力する文字を選択する（Ｓ５３）。ここでは、図１２Ｂ（ｄ）に示すように、操作者は、操作ノブ２１０を矢印Ｇ方向に水平操作を行い、「か」を選択し、続いて矢印Ｃ方向にロータリ操作を行って新たに入力する文字「き」を選択する。
【０１０３】
このとき、ＥＣＵ２１Ａは、ロータリスイッチ２１４、又はＸ軸センサ２１１及びＹ軸センサ２１２から出力される信号に基づいた操作信号をＥＣＵ２００に出力し、ＥＣＵ２００は、この操作信号に基づいて表示部２０の入力領域２０６に、文字「ち」から「か」を介して「き」を表示させる。
【０１０４】
次に、操作者は、図１２Ｂ（ｅ）に示すように、操作ノブ２１０に対してプッシュ操作を行って選択した文字「き」を確定し（Ｓ５４）、文字の修正を終了する。
【０１０５】
このとき、ＥＣＵ２１Ａは、プッシュスイッチ２１３から出力される信号に基づいた操作信号をＥＣＵ２００に出力し、ＥＣＵ２００は、この操作信号に基づいて入力領域２０６に文字「き」を表示させる。
【０１０６】
（第５の実施の形態の効果）
本実施の形態に係る文字修正方法によれば、例えば、５０音のひらがなを表示画像に表示し、表示画像に含まれる戻るボタンを連続して押し下げて修正対象の文字を選択し、修正ボタンを押し下げて修正する場合と比べて、少ない操作回数で修正対象の文字を修正することができる。
【０１０７】
なお、本発明は、上記した実施の形態に限定されず、本発明の技術思想を逸脱あるいは変更しない範囲内で種々の変形および組み合わせが可能である。
【０１０８】
例えば、上記の各実施の形態は、「た行」の文字の入力について説明したが、他の行の文字の入力も同様である。また、ボタン群２０２は、上記の例に限定されず、数字が入力できるボタンやアルファベットのボタン等を備えても良い。
【０１０９】
また、例えば、修正モードは、上記の例に限定されず、ロータリ操作又は水平操作によって、選択された文字「ち」を含む行の文字、つまり矢印Ｃ方向と逆方向にロータリ操作、又は略右水平方向に水平操作を行うことで「つ」、「て」、「と」・・・と順番に入力領域２０６に表示させ、矢印Ｃ方向にロータリ操作、又は略左水平方向に水平操作を行うことで「た」を入力領域２０６に表示させるモードであっても良い。また、例えば、「た」、「だ」、「ち」・・・のように濁音を間に挟んで選択できるようにしても良いし、「あ」、「ぁ」、「い」、「ぃ」・・・のように小文字を間に挟んで選択できるようにしても良い。
【０１１０】
また、例えば、上記の各実施の形態においては、操作入力部２１によって、文字の入力を行っていたが、これに限定されず、非接触センサを含んで構成されるタッチパッドに対するジェスチャに基づいてロータリ操作、プッシュ操作、水平操作、傾倒操作を検出して、カーソル及び入力修正カーソルを移動させても良い。
【０１１１】
また、例えば、操作入力部２１は、プッシュ操作を行えるとしたが、プッシュボタンを別に設けても良い。
【０１１２】
また、例えば、操作ノブ２１０は、操作ノブ２１０が取り付けられたパネル面に対して傾倒操作可能に構成されていても良い。
【０１１３】
また、上記の各実施の形態においてカーナビゲーション装置を例にとってロータリ・３次元入力装置による文字修正方法を説明したが、これに限定されず、例えば、文字の入力が必要なカーオーディオ装置等の電子機器に適用可能である。
【符号の説明】
【０１１４】
１…車両、２…カーナビゲーション装置、１０…センターコンソール、２０…表示部、２１…操作入力部、２１Ａ…ＥＣＵ、２２…記憶部、２３…検索部、２４…ＧＰＳ、２００…ＥＣＵ、２０１…表示画像、２０２…ボタン群、２０３…選択状態ボタン、２０４…戻るボタン、２０５…消去ボタン、２０６…入力領域、２０７…入力修正カーソル、２０８…カーソル、２０９…入力文字列、２１０…操作ノブ、２１１…Ｘ軸センサ、２１２…Ｙ軸センサ、２１３…プッシュスイッチ、２１４…ロータリスイッチ
【図１】
2010257075.tif 000003
【図２】
2010257075.tif 000004
【図３】
2010257075.tif 000005
【図４】
2010257075.tif 000006
【図５】
2010257075.tif 000007
【図６Ａ】
2010257075.tif 000008
【図６Ｂ】
2010257075.tif 000009
【図７】
2010257075.tif 000010
【図８Ａ】
2010257075.tif 000011
【図８Ｂ】
2010257075.tif 000012
【図９】
2010257075.tif 000013
【図１０Ａ】
2010257075.tif 000014
【図１０Ｂ】
2010257075.tif 000015
【図１１】
2010257075.tif 000016
【図１２Ａ】
2010257075.tif 000017
【図１２Ｂ】
2010257075.tif 000018
【図１３】
2010257075.tif 000019